(57)【要約】【課題】操作性の高いデジタルカメラを提供する。【解決手段】撮影画像が表示される画像モニタ４２と、撮影情報等が文字、絵文字で表示されるステータスモニタ４４とが、カメラディ１２の背面に縦列配置され、そのステータスモニタ４４の下部に各種操作ボタン類が配置される。これにより、ステータスモニタ４４の表示を見ながら、画像モニタ４２の表示を確認することができ、操作性が向上する。また、画像モニタ４２とステータスモニタ４４の下側に各種操作ボタン類を配置することにより、操作ボタンの操作中にディスプレイが指で隠れることがなくなり、使い勝手が向上する。【選択図】    図２
2004297263.tif 000002
【特許請求の範囲】
【請求項１】
撮影画像が表示される画像ディスプレイと、所定の操作ボタンの操作に応じて所定の撮影情報が文字、絵文字で表示される文字ディスプレイとがカメラボディの背面に配置されたデジタルカメラにおいて、
扁平縦長の直方体状に形成された前記カメラボディの背面右端又は左端のいずれか一方にグリップ部が形成されるとともに、他方側に前記画像ディスプレイと前記文字ディスプレイとが、前記画像ディスプレイを上側にして縦列配置され、該画像ディスプレイと文字ディスプレイの下側及び／又は前記グリップ部側に前記操作ボタンが配置されたことを特徴とするデジタルカメラ。
【請求項２】
前記文字ディスプレイが、前記カメラボディの背面に対して所定角度に傾けられて配置されたことを特徴とする請求項１に記載のデジタルカメラ。
【請求項３】
前記画像ディスプレイと前記文字ディスプレイとが液晶ディスプレイで構成され、前記画像ディスプレイの上辺に沿って該画像ディスプレイ用のバックライトが配置されるとともに、前記文字ディスプレイの下辺に沿って該文字ディスプレイ用のバックライトが配置されることを特徴とする請求項１又は２に記載のデジタルカメラ。
【発明の詳細な説明】
【０００１】
【発明の属する技術分野】
本発明はデジタルカメラに係り、特にカメラボディの背面に画像ディスプレイと文字ディスプレイとを備えたデジタルカメラに関する。
【０００２】
【従来の技術】
一般にデジタルカメラには、カメラボディの背面に画像ディスプレイが備えられている。この画像ディスプレイは、撮影中にリアルタイム画像を表示してファインダとして利用されたり、撮影後に撮影済み画像を表示して再生用モニタとして利用されたりする他、メニュー画面を表示してカメラのセットアップなどにも使用される。
【０００３】
また、デジタルカメラには、この画像ディスプレイの他にカメラの設定モードや撮影条件（シャッタ速度やＦ値、露出補正値、ＩＳＯ設定、ホワイトバランス設定、ストロボ設定、マクロ設定等）、撮影可能枚数、電池残量などの情報が文字、絵文字等で表示される文字ディスプレイを備えているものも存在する（たとえば、特許文献１）。この文字ディスプレイは、一般にカメラボディの上面又は背面に設けられる。
【０００４】
【特許文献１】
特開２０００−２５８８３３号公報
【０００５】
【発明が解決しようとする課題】
ところで、文字ディスプレイに表示される情報は、上記のようにカメラの撮影条件や撮影可能枚数などであることから、液晶モニタに表示される画像との関連性は高い。特に液晶モニタをファインダとして使用しながら撮影する場合には、文字ディスプレイの表示情報が液晶モニタに表示される画像に反映されることから、その関連性は、きわめて高くなる。
【０００６】
しかしながら、従来のデジタルカメラは、液晶モニタの他に別途文字ディスプレイを備えた場合であっても、液晶モニタと無関係に設置していたため、使い勝手がきわめて悪いという欠点があった。
【０００７】
また、一般に文字ディスプレイに表示される情報は、操作ボタンの操作によって変更されるが、従来のデジタルカメラは、文字ディスプレイと操作ボタンとを無関係に設置していた。
【０００８】
本発明は、このような事情に鑑みてなされたもので、操作性の高いデジタルカメラを提供することを目的とする。
【０００９】
【課題を解決するための手段】
請求項１に係る発明は、前記目的を達成するために、撮影画像が表示される画像ディスプレイと、所定の操作ボタンの操作に応じて所定の撮影情報が文字、絵文字で表示される文字ディスプレイとがカメラボディの背面に配置されたデジタルカメラにおいて、扁平縦長の直方体状に形成された前記カメラボディの背面右端又は左端のいずれか一方にグリップ部が形成されるとともに、他方側に前記画像ディスプレイと前記文字ディスプレイとが、前記画像ディスプレイを上側にして縦列配置され、該画像ディスプレイと文字ディスプレイの下側及び／又は前記グリップ部側に前記操作ボタンが配置されたことを特徴とするデジタルカメラを提供する。
【００１０】
本発明によれば、画像ディスプレイと文字ディスプレイとが縦列配置され、その下側及び／又はグリップ側に操作ボタンが配置される。これにより、文字ディスプレイの表示を見ながら、画像ディスプレイの表示を確認することができ、操作性が向上する。また、画像ディスプレイと文字ディスプレイの下側及び／又はグリップ側に操作ボタンを配置することにより、操作ボタンの操作中にディスプレイが指で隠れることがなくなり、使い勝手が向上する。
【００１１】
また、請求項２に係る発明は、前記目的を達成するために、前記文字ディスプレイが、前記カメラボディの背面に対して所定角度に傾けられて配置されたことを特徴とする請求項１に記載のデジタルカメラを提供する。
【００１２】
本発明によれば、文字ディスプレイをカメラボディの背面に対して所定角度上側に傾けて設置することにより、文字ディスプレイの視認性が向上する。
【００１３】
また、請求項３に係る発明は、前記目的を達成するために、前記画像ディスプレイと前記文字ディスプレイとが液晶ディスプレイで構成され、前記画像ディスプレイの上辺に沿って該画像ディスプレイ用のバックライトが配置されるとともに、前記文字ディスプレイの下辺に沿って該文字ディスプレイ用のバックライトが配置されることを特徴とする請求項１又は２に記載のデジタルカメラを提供する。
【００１４】
本発明によれば、画像ディスプレイの上辺に沿って画像ディスプレイ用のバックライトを配置するとともに、文字ディスプレイの下辺に沿って文字ディスプレイ用のバックライトを配置することにより、画像ディスプレイと文字ディスプレイとの設置間隔を狭めることができる。これにより、画像ディスプレイと文字ディスプレイとの一体感をより強調することができる。
【００１５】
【発明の実施の形態】
以下、添付図面に従って本発明に係るデジタルカメラの好ましい実施の形態について詳説する。
【００１６】
図１〜図４は、それぞれ本発明に係るデジタルカメラの一実施形態を示す正面図、背面図、上面図、右側面図である。
【００１７】
同図に示すように、本実施の形態のデジタルカメラ１０のカメラボディ１２は、横方向の寸法に比して高さ方向の寸法が大きな、扁平縦長の直方体状に形成されている（いわゆる縦型ボディ）。このデジタルカメラ１０は、カメラボディ１２の正面左端の部分と背面右端の部分をそれぞれ前面グリップ部１２Ａ及び背面グリップ部１２Ｂとして、この前面グリップ部１２Ａと背面グリップ部１２Ｂを右手で把持して、レリーズ操作を行なうように構成されている（いわゆる、右利き用のカメラ）。前面グリップ部１２Ａと背面グリップ部１２Ｂには、それぞれカメラボディ１２を把持した際、その指掛かりとなるように、前面グリップ１４Ａと背面グリップ１４Ｂとがカメラボディ１２の表面から突出して形成されている。
【００１８】
カメラボディ１２の正面には、図１に示すように、撮影レンズ１６、ファインダ窓１８、ストロボ調光窓２０、セルフタイマランプ２２、マイク２４等が設けられている。撮影レンズ１６は、沈胴式のズームレンズで構成されており、沈胴時にはカメラボディ１２の内側に退避して、その前面を図示しないレンズバリアに覆われる。
【００１９】
カメラボディ１２の上面には、図３に示すように、ストロボ２６、レリーズボタン２８、モードダイヤル３０等が設けられている。レリーズボタン２８は、カメラボディ１２の上面左端寄りの位置に配置されており、カメラボディ１２を右手で把持した際、その右手の人差指が無理なく届くようにされている。同様にモードダイヤル３０は、カメラボディ１２の上面左端寄りの位置に配置されており、カメラボディ１２を右手で把持した際、その右手の親指が無理なく届くようにされている。このモードダイヤル３０は、水平方向に回転自在に指示されており、その停止位置によってカメラのモードが「スチルモード」、「ムービーモード」又は「再生モード」に設定される。
【００２０】
カメラボディ１２の右側面には、図４に示すように、スピーカ３２、音声／映像出力端子３４、ＵＳＢ端子３６、電源入力端子３８等が設けられており、図示しないカメラボディ１２の左側面には、開閉自在なカバーで覆われたカードスロットとバッテリー収納部とが設けられている。
【００２１】
カメラボディ１２の背面には、図２に示すように、ファインダ接眼部４０、画像モニタ４２、ステータスモニタ４４、ズームレバー４６、十字ボタン４８、電源ボタン５０、ＤＩＳＰボタン５２、ＭＥＮＵ／ＯＫボタン５４、ＢＡＣＫボタン５６が設けられている。
【００２２】
ここで、上述したように、カメラボディ１２の背面は、右端の部分が背面グリップ部１２Ｂとされており、この背面グリップ部１２Ｂを右手で把持して、レリーズ操作を行なうようにされている。このため、画像モニタ４２とステータスモニタ４４は、この背面グリップ部１２Ｂを把持した手で表示面が隠れることがないように、背面グリップ部１２Ｂの反対側、すなわちカメラボディ１２の左端に画像モニタ４２を上側にして縦列配置されている（背面グリップ部１２Ｂがカメラボディ１２の左側に形成されている場合（いわゆる、左利き用のカメラの場合）は、カメラボディ１２の右端に縦列配置される。）。
【００２３】
また、十字ボタン４８、電源ボタン５０、ＤＩＳＰボタン５２、ＭＥＮＵ／ＯＫボタン５４及びＢＡＣＫボタン５６は、操作時に画像モニタ４２及びステータスモニタ４４が、操作した手で隠れることがないように、ステータスモニタ４４の下側に並列して配置されている。
【００２４】
一方、ズームレバー４６は、背面グリップ部１２Ｂの上方位置に配置され、カメラボディ１２を把持した右手の親指で無理なく操作できるように配置されている。
【００２５】
なお、画像モニタ４２とステータスモニタ４４は、共に同じサイズのカラー液晶ディスプレイ（たとえば、アスペクト比４：３のカラー液晶ディスプレイ）で構成され、画像モニタ４２には、ＣＣＤを介して取り込まれる画像（スルー画像）やメモリカードから読み出した再生画像が表示される。一方、ステータスモニタ４４には、モード情報や電池残量警告、撮影日時、撮影可能枚数、再生コマ番号などの各種情報やメニュー画面がカメラの使用状況に応じて文字、絵文字で表示される。
【００２６】
また、ズームレバー４６は、上下方向に揺動自在なシーソースイッチで構成されており、上方に操作することにより、ズームがテレ側に操作され、下方に操作することにより、ズームがワイド側に操作される。
【００２７】
また、十字ボタン４８は、上下左右の４方向の指示を入力するボタンとして機能し、各方向にはカメラの使用状況に応じて各種機能が割り当てられる。
【００２８】
また、電源ボタン５０、ＤＩＳＰボタン５２、ＭＥＮＵ／ＯＫボタン５４、ＢＡＣＫボタン５６は、共に押しボタンで構成され、十字ボタン４８を中心にして左右対称に配置されている。このうち電源ボタン５０は、カメラの電源のＯＮ／ＯＦＦに使用され、ＤＩＳＰボタン５２は、画像モニタ４２の表示切替に使用される。また、ＭＥＮＵ／ＯＫボタン５４は、撮影・再生メニューの表示や選択を決定するときなどに使用される。また、ＢＡＣＫボタン５６は、操作を途中でやめるときなどに使用される。
【００２９】
図５は、本実施の形態のデジタルカメラ１０の内部構成を示すブロック図である。
【００３０】
同図において、ＣＰＵ６０は、本カメラシステムを統括制御する制御部であり、レリーズボタン２８、モードダイヤル３０、その他の操作部からの入力信号に基づいて各回路を制御する。ＲＯＭ６２には、このＣＰＵ６０が処理するプログラム及び制御に必要な各種データ等が格納されており、ＥＥＰＲＯＭ（不揮発性メモリ）６４には、各種設定情報などが格納される。
【００３１】
撮影レンズ１６を通過した光は、絞り６６によって光量が調節された後、ＣＣＤ６８の受光面に入射する。ＣＣＤ６８の受光面には、フォトセンサが平面的に配列されており、ＣＣＤ６８の受光面に結像された被写体像は、各フォトセンサによって入射光量に応じた量の信号電荷に変換される。なお、ＣＣＤ６８は、電子シャッタ機能を備えており、シャッターゲートパルスのタイミングによって各フォトセンサに蓄積される電荷の電荷蓄積時間（シャッタースピード）が制御される。
【００３２】
各フォトセンサに蓄積された信号電荷は、ＣＣＤドライバ７０から与えられるパルスに基づいて信号電荷に応じた電圧信号（画像信号）として順次読み出され、アナログ処理部７２に送られる。
【００３３】
アナログ処理部７２は、サンプリングホールド回路、色分離回路、ゲイン調整回路等の信号処理回路を含み、ＣＣＤ６８から読み出された画像信号は、このアナログ処理部７２において、相関二重サンプリング（ＣＤＳ）処理並びにＲ，Ｇ，Ｂの各色信号に色分離処理され、各色信号の信号レベルの調整（プリホワイトバランス処理）が行われる。そして、Ａ／Ｄ変換器７４によりデジタル信号に変換された後、内蔵バッファ７６を介してＲＡＭ７８に格納される。
【００３４】
なお、ＣＣＤドライバ７０、アナログ処理部７２及びＡ／Ｄ変換器７４には、タイミングジェネレータ７７からタイミング信号が与えられており、このタイミング信号によって各回路の同期がとられている。
【００３５】
ＲＡＭ７８に格納された画像データは、信号処理部８０へ送られる。信号処理部８０は、輝度・色差信号生成回路、ガンマ補正回路、シャープネス補正回路、コントラスト補正回路、ホワイトバランス補正回路等の画像信号処理回路及び音声信号処理回路を含むデジタルシグナルプロセッサ（ＤＳＰ）で構成され、ＣＰＵ６０からのコマンドに従って画像信号及び音声信号を処理する。ＲＡＭ７８から信号処理部８０に入力された画像データは、輝度信号（Ｙ信号）及び色差信号（Ｃｒ，Ｃｂ  信号）に変換されるとともに、ガンマ補正等の所定の処理が施された後、ＲＡＭ７８に格納される。
【００３６】
ＣＣＤ６８で捉えた画像を画像モニタ４２に表示する場合は、このＲＡＭ７８に格納された輝度・色差信号（ＹＣ信号）が、バス８４を介してＶＲＡＭ８６に格納される。ＶＲＡＭ８６に格納されたＹＣ信号は、ＶＲＡＭ８６からエンコーダ８７に送られ、ここでキャラクタジェネレータ８８から供給される文字や記号のデータとともに表示用の所定方式の信号（たとえば、ＮＴＳＣ方式のカラー複合映像信号）に変換された後、Ｄ／Ａ変換器８９を介して画像モニタ４２に出力される。
【００３７】
ＣＣＤ６８からＲＡＭ７８内に取り込まれる画像信号は、定期的に書き換えられ、その画像信号から生成される映像信号を画像モニタ４２に定期的に供給することにより、ＣＣＤ６８で捉えた画像が画像モニタ４２にリアルタイムに表示される。撮影者は、この画像モニタ４２に表示される画像（スルー画）によって撮影画角を確認できる。
【００３８】
静止画の記録は、カメラのモードを「スチルモード」に設定し、レリーズボタン２８を押すことで可能になる。
【００３９】
「スチルモード」の下、レリーズボタン２８が押されると、撮影開始指示（レリーズＯＮ）信号が発せられる。ＣＰＵ６０は、このレリーズ信号を検知して、ＡＥ・ＡＦ制御を実行し、１コマ分の画像データを取得する。
【００４０】
この際、被写体が暗い場合には、ストロボ制御回路１０８が動作され、ストロボ２６からストロボ光が発光される。ストロボ制御回路１０８は、ＣＰＵ６０からのコマンドに従ってメインコンデンサの充電やキセノン管への放電タイミング等を制御する。
【００４１】
取得された画像データは、アナログ処理部７２、Ａ／Ｄ変換器７４、内蔵バッファ７６を介してＲＡＭ７８に格納され、信号処理部８０で所定の処理が施された後、ＲＡＭ７８に格納される。ＲＡＭ７８に格納されたＹＣ信号は、圧縮伸張処理部９０に送られ、ここでＪＰＥＧ等の所定の形式で圧縮されたのち、カードインターフェース９２を介して所定のファイル形式でメモリカード９４に記録される。
【００４２】
また、音声付き動画の記録は、カメラのモードを「ムービーモード」に設定することで可能になる。録画動作は、レリーズボタン２８を押すことでスタートし、更にもう一度押すことでストップする。１回の撮影で記録できる最長時間、画像サイズ、フレームレート及び記録方式などは予め定められており、例えば、１回の撮影で最長約１６０秒の音声（８ｋＨｚ，８ｂｉｔ，  モノラル）  付きムービーを撮影でき、３２０  ×２４０  ピクセル、１０フレーム／秒、Ｍｏｔｉｏｎ  ＪＰＥＧ  形式によってメモリカード９４に記録される。この際、音声はマイク２４からアンプ９７、Ａ／Ｄ変換器９８を介して信号処理部８０に入力され、信号処理部８０で所定の信号処理が施された後、動画データと共に所定のファイル形式でメモリカード９４に記録される。
【００４３】
このようにしてメモリカード９４に記録された静止画データ及び動画データは、カメラのモードを「再生モード」に設定することで再生が可能となる。
【００４４】
モードダイヤル３０でカメラのモードが「再生モード」に設定されると、メモリカード９４の最終ファイル（最後に記録されたファイル）の画像データが読み出される（動画ファイルの場合は、先頭フレームの画像データ）。読み出された画像データは、圧縮伸張回路９０によって伸張処理され、ＶＲＡＭ８６、エンコーダ８７、Ｄ／Ａ変換器８９を介して画像モニタ４２に出力される。
【００４５】
画像モニタ４２に表示される画像は、十字ボタン４８を右方向に押圧操作することで、順方向にコマ送りされ、左方向に押圧操作すると、逆方向にコマ送りされる。十字ボタン４８が、右方向又は左方向に押圧操作されると、次のファイルの画像データがメモリカード９４から読み出され、上記同様の処理を経て画像モニタ４２に表示される。
【００４６】
また、動画の再生は、動画の先頭フレームが表示された状態で十字ボタン４８を下方向に押圧操作することで開始される。この際、音声データは、信号処理部８０においてデコードされた後、入出力（Ｉ／Ｏ）インターフェース１００を介してＤ／Ａ変換器１０２に供給され、Ｄ／Ａ変換器１０２によってアナログ信号に変換された後、アンプ１０４を介してスピーカ３２から出力される。
【００４７】
さて、上述したように、本実施の形態のデジタルカメラ１０には、カメラボディ１２の背面に画像モニタ４２とステータスモニタ４４とが縦列配置されており、ステータスモニタ４４には、モード情報や電池残量警告、撮影日時、撮影可能枚数、再生コマ番号などの各種情報やメニュー画面がカメラの使用状況に応じて文字、絵文字で表示される。ＣＰＵ６０は、カメラの状態に応じてキャラクタジェネレータ８８にコマンドを出力し、このキャラクタジェネレータ８８から出力される文字や記号のデータが、エンコーダ８７で表示用の所定方式の信号に変換された後、Ｄ／Ａ変換器１０６を介してステータスモニタ４４に表示される。
【００４８】
図６は、画像モニタ４２とステータスモニタ４４の表示例を示しており、同図（ａ）は撮影中の表示例、（ｂ）はメニュー画面の表示例、（ｃ）は再生中の表示例を示している。
【００４９】
撮影中には、図６（ａ）に示すように、画像モニタ４２にスルー画像が表示され、ステータスモニタ４４に各種撮影情報が表示される。ステータスモニタ４４に表示される撮影情報としては、たとえば同図に示すように、撮影モードの設定情報、マクロ機能ＯＮ／ＯＦＦの設定情報、ストロボモードの設定情報、撮影可能枚数、ピクセル／クオリティー（画質）の設定情報、感度（ＩＳＯ）の設定情報、ホワイトバランスモードの設定情報、露出補正の設定情報、シャッタ速度、絞り値、電池残量等の情報が表示される。撮影者は、このステータスモニタ４４の表示を見ることにより、現在のカメラの設定情況を一目で把握することができる。
【００５０】
また、メニュー画面を呼び出した場合には、図６（ｂ）に示すように、画像モニタ４２にスルー画像が表示され、ステータスモニタ４４にメニュー画面が表示される。同図に示す表示例は、撮影モード下でのメニュー画面の表示例であり、撮影者は、このステータスモニタ４４に表示されるメニュー画面に従って各種設定操作を行なう。この際、設定は十字ボタン４８、ＭＥＮＵ／ＯＫボタン５４及びＢＡＣＫボタン５６を利用して行なうが、これらのボタンはステータスモニタ４４の下側に配置されているため、操作する手でステータスモニタ４４や画像モニタ４２が隠れることがない。したがって、各種設定操作をステータスモニタ４４を見ながら簡単に行なうことができる。
【００５１】
なお、図６（ｂ）に示す例の場合、各種メニュー項目がアイコン表示されており、撮影者は、設定したい項目のアイコンを十字ボタン４８の左右のボタンで選択する。アイコンが選択されると、その内容が上方に表示される（同図の場合、ピクセル／クオリティーの項目を選択）。撮影者は、この表示に従って十字ボタン４８の上下又は左右のボタンでカーソルを移動させ、所望の設定を行なう。メニュー内容の確定は、ＭＥＮＵ／ＯＫボタン５４を押すことにより行なわれ、キャンセルはＢＡＣＫボタン５６を押すことにより行なわれる。また、メニュー画面の呼び出しは、ＭＥＮＵ／ＯＫボタン５４を押すことにより行なわれる。
【００５２】
また、再生中には、図６（ｃ）に示すように、画像モニタ４２に再生画像が表示され、ステータスモニタ４４には撮影情報等が表示される。ステータスモニタ４４に表示される撮影情報としては、たとえば同図に示すように、撮影モードの設定情報、撮影コマ番号、撮影時のシャッター速度の情報、撮影時の絞り値の情報、撮影時のホワイトバランスの設定情報、撮影時の露出補正の設定情報、撮影時のピクセル／クオリティー（画質）の設定情報、撮影時の感度（ＩＳＯ）の設定情報、撮影日時、電池残量等の情報が表示される。また、この他に十字ボタン４８の機能説明が表示される。この場合、たとえば、十字ボタン４８の右ボタンが順コマ送りとして機能し、左ボタンが逆コマ送りとして機能する。
【００５３】
撮影者は、画像モニタ４２に表示される再生画像とともに、ステータスモニタ４４に表示される撮影情報を見ることにより、容易に撮影時のカメラの設定状況等を把握することができる。
【００５４】
このように、本実施の形態のデジタルカメラ１０によれば、カメラボディ１２の背面に画像モニタ４２と共にステータスモニタ４４が縦列配置され、撮影時又は再生時の撮影情報等がステータスモニタ４４に表示される。これにより、撮影者は、撮影時には容易にカメラの設定状況を把握でき、再生時には撮影時のカメラの設定状況を容易に把握することができる。
【００５５】
また、画像モニタ４２を上側にして画像モニタ４２とステータスモニタ４４を縦列配置することにより、両方のモニタを一目で確認できるとともに、両者の関連性が明確にすることができる。これにより、画像モニタ４２に表示される画像が、どのような状態で撮影されたものなのか画像モニタ４２とステータスモニタ４４を見ることにより、一目で把握することができ、撮影時及び再生時の撮影状況の確認がきわめて容易になる。
【００５６】
また、ステータスモニタ４４を見ながら各種設定操作を行なう場合も本実施の形態のデジタルカメラ１０では、各種操作ボタンがステータスモニタ４４の下側に設けられているため、操作時にステータスモニタ４４等が手で隠れることがない。これにより、常にステータスモニタ４４を見ながら操作することができるため、設定操作等を簡単に行なうことができる。
【００５７】
さらに、ステータスモニタ４４の直下に操作ボタンを配置することにより、ステータスモニタ４４を見ながらの操作が簡単になるとともに、ステータスモニタ４４に当該操作ボタンの機能説明等を表示させることもできる（図６（ｃ）参照）。
【００５８】
なお、図６に示すステータスモニタ４４の表示は一例に過ぎず、カメラの設定情況等に応じて適宜変更して表示することが好ましい。
【００５９】
また、画像モニタ４２とステータスモニタ４４は近接して配置することが好ましく、これにより、両者の関連性を明確にでき、操作性も向上する。
【００６０】
ところで、液晶ディスプレイは、一般に液晶部とバックライト部とからなる液晶ユニットで構成されており、バックライト部は液晶部の上部又は下部に配設される。このため、液晶部はユニットの中心に対して上方又は下方にずれて配置される。たとえば、図７に示すように、バックライト部１１２が液晶部１２４の下部に配置された場合、液晶部Ｌ（中心ＯＬ  ）は、液晶ユニットＵの中心ＯＵ  に対して上方にずれて配置される。
【００６１】
したがって、この液晶ユニットを単に上下に配列すると、バックライト部Ｂの高さ（Ｈ）の分だけ上下のユニットの間に隙間が生じる。
【００６２】
そこで、本実施の形態のデジタルカメラ１００では、縦列配置される液晶ディスプレイ（画像モニタ４２とステータスモニタ４４）の一方を１８０度反転して配置する。すなわち、たとえば図８に示すように、画像モニタ４２とステータスモニタ４４の両方ともバックライト部４２Ａ、４４Ａが、液晶部４２Ｂ、４４Ｂの下側に配置された液晶ユニットを用いるものとして、上側に配置される画像モニタ４２をステータスモニタ４４に対して１８０度反転して配置する。
【００６３】
これにより、上下に縦列配置される画像モニタ４２の液晶部４２Ｂとステータスモニタ４４の液晶部４４Ｂとの間の隙間Ｗを可能な限り狭くでき、両者の一体感を強調させることができる。
【００６４】
なお、バックライト部が液晶部の下側に配置された液晶ユニットを用いる場合は、ステータスモニタ４４側を画像モニタ４２に対して１８０度反転して配置する。
【００６５】
また、本例のように画像モニタ４２を１８０度反転して設置した場合、そのまま画像を出力させると、画像が上下反転した状態で表示されるので、ＣＰＵ６０は画像モニタ４２に画像を出力させる場合、上下を反転させて出力させる。
【００６６】
このように、縦列配置される画像モニタ４２とステータスモニタ４４は、可能な限り近接して配置し、一体感を強調させることが好ましい。
【００６７】
図９及び図１０は、本発明に係るデジタルカメラの第２の実施の形態の背面図と右側面図である。なお、上述した第１の実施の形態のデジタルカメラ１０と同一部材には、同一符号が付されている。
【００６８】
同図に示すように、本実施の形態のデジタルカメラ１２０では、ステータスモニタ４４がカメラボディ１２の背面に対して所定角度傾けられて設置されている。すなわち、カメラボディ１２の背面には、画像モニタ４２の下部に三角形状の凸部１２２が形成されており、その上側傾斜面１２２Ａに沿ってステータスモニタ４４が配置され、下側傾斜面１２２Ｂに沿って十字ボタン４８、電源ボタン５０、ＤＩＳＰボタン５２、ＭＥＮＵ／ＯＫボタン５４及びＢＡＣＫボタン５６が配置されている。
【００６９】
このように、ステータスモニタ４４をカメラボディ１２の背面に対して所定角度傾けることにより、ステータスモニタ４４の視認性が向上し、画像モニタ４２とステータスモニタ４４の確認がしやすくなる。
【００７０】
同様に十字ボタン４８、電源ボタン５０、ＤＩＳＰボタン５２、ＭＥＮＵ／ＯＫボタン５４及びＢＡＣＫボタン５６をカメラボディ１２の背面に対して傾斜して設置することにより、各ボタンが押しやすくなり、操作性が向上する。
【００７１】
なお、このようにカメラボディ１２の背面に三角形状の凸部１２２を形成し、この凸部１２２にステータスモニタ４４と各種操作ボタンを設ける場合、図１０に示すように、その凸部１２２の側面部分にスピーカ３２を配置してもよい。これにより、凸部１２２の側面部分を有効利用することができる。
【００７２】
以上説明したように、本発明に係るデジタルカメラ１０によれば、カメラボディ１２の背面に画像モニタ４２とステータスモニタ４４を縦列配置することにより、ステータスモニタ４４の表示を見ながら、画像モニタ４２の表示を確認することができ、操作性が向上する。また、ステータスモニタ４４の下側に各種操作ボタンを配置することにより、操作ボタンの操作中にモニタの表示が指で隠れることがなくなり、モニタを見ながら各種設定操作を行なうことができる。
【００７３】
なお、本実施の形態では、十字ボタン４８、電源ボタン５０、ＤＩＳＰボタン５２、ＭＥＮＵ／ＯＫボタン５４、ＢＡＣＫボタン５６の各ボタンをステータスモニタ４４の下側に配置したが、ステータスモニタ４４及び画像モニタ４２の側部グリップ側に配置するようにしてもよい。たとえば、図２において、背面グリップ部１２Ｂ側であるステータスモニタ４４と画像モニタ４２の右脇に各種操作ボタン類を縦列配置するようにしてもよい。
【００７４】
なお、本実施の形態のように、各種設定操作に使用するボタン（たとえば、ＤＩＳＰボタン５２、ＭＥＮＵ／ＯＫボタン５４、ＢＡＣＫボタン５６等）をステータスモニタ４４の下側に配置することにより、これらのボタンを操作した場合であっても、操作中の手でモニタが隠れることがなくなり、モニタを見ながらの操作を簡単に行なうことができるようになる。
【００７５】
また、カメラボディ１２の背面に配置するボタン類は、本実施の形態のものに限定されるものではなく、そのカメラの有する機能に応じて設置することが好ましい。
【００７６】
さらに、本実施の形態では、画像モニタ４２とステータスモニタ４４を共にカラー液晶ディスプレイで構成しているが、この他、有機ＥＬパネル等のディスプレイで構成してもよい。
【００７７】
また、ステータスモニタ４４に関しては、ドットマトリックス液晶等の液晶ディスプレイを用いてもよい。
【００７８】
【発明の効果】
以上説明したように、本発明によれば、画像ディスプレイと文字ディスプレイとを縦列配置し、その下側及び／又はグリップ側に操作ボタンを配置することにより、文字ディスプレイの表示を見ながら、画像ディスプレイの表示を確認することができ、操作性が向上する。また、画像ディスプレイと文字ディスプレイの下側及び／又はグリップ側に操作ボタンを配置することにより、操作ボタンの操作中にディスプレイが指で隠れることがなくなり、使い勝手が向上する。
【図面の簡単な説明】
【図１】本発明に係るデジタルカメラの一実施形態を示す正面図
【図２】本発明に係るデジタルカメラの一実施形態を示す背面図
【図３】本発明に係るデジタルカメラの一実施形態を示す上面図
【図４】本発明に係るデジタルカメラの一実施形態を示す右側面図
【図５】図１に示すデジタルカメラの内部構成を示すブロック図
【図６】画像モニタ及びステータスモニタの表示例を示す図
【図７】液晶ディスプレイの構成を示す斜視図
【図８】画像モニタとステータスモニタの設置例を示す斜視図
【図９】本発明に係るデジタルカメラの第２の実施の形態を示す背面図
【図１０】本発明に係るデジタルカメラの第２の実施の形態を示す右側面図
【符号の説明】
１０…デジタルカメラ、１２…カメラボディ、１２Ａ…前面グリップ部、１２Ｂ…背面グリップ部、１４Ａ…前面グリップ、１４Ｂ…背面グリップ、１６…撮影レンズ、２８…レリーズボタン、３０…モードダイヤル、３２…スピーカ、４２…画像モニタ、４２Ａ…バックライト部、４２Ｂ…液晶部、４４…ステータスモニタ、４４Ａ…バックライト部、４４Ｂ…液晶部、４６…ズームレバー、４８…十字ボタン、５０…電源ボタン、５２…ＤＩＳＰボタン、５４…ＭＥＮＵ／ＯＫボタン、５６…ＢＡＣＫボタン
【図１】
2004297263.tif 000003
【図２】
2004297263.tif 000004
【図３】
2004297263.tif 000005
【図４】
2004297263.tif 000006
【図５】
2004297263.tif 000007
【図６】
2004297263.tif 000008
【図７】
2004297263.tif 000009
【図８】
2004297263.tif 000010
【図９】
2004297263.tif 000011
【図１０】
2004297263.tif 000012